(57)【要約】【課題】  搬送中の遊技機または遊技盤に対する電源の供給を常時可能にしつつ、電源供給器を搬送開始位置側に戻す作業を効率良く、低コストで実現することができる遊技機用搬送装置を提供すること。【解決手段】  遊技機検査装置３１が備える水平搬送機構３２は、パチンコ機１０を保持して搬送開始位置から搬送終了位置まで搬送する。それに伴い、電源供給器５１は、搬送中のパチンコ機１０に電源を供給しながら電源供給器用往路８１を搬送終了位置側に移動する。また、電源供給器５１は、パチンコ機１０の電源プラグ２１とは非接続の状態で、電源供給器用復路８２を搬送開始位置側に移動する。なお、電源供給器用復路８２は、搬送開始位置側に行くに従って徐々に低くなるように傾斜しているため、電源供給器５１は電源供給器用復路８２に沿って自走する。【選択図】  図３
2005348763.tif 000002
【特許請求の範囲】
【請求項１】
遊技機を保持するとともに、その保持した遊技機を搬送開始位置から搬送終了位置まで搬送する遊技機搬送機構と、
前記遊技機の給電部に接続され、搬送中の前記遊技機に電源を供給する電源供給器と、
前記電源供給器が前記遊技機の搬送方向に移動可能なように該電源供給器を案内する電源供給器用往路と、
前記電源供給器が前記遊技機の搬送方向とは逆方向に移動可能なように該電源供給器を案内する電源供給器用復路と
を備え、
前記電源供給器用復路は、前記電源供給器用復路と前記電源供給器用往路との間で前記電源供給器の受け渡しを行う受け渡し手段を有するとともに、前記搬送終了位置側から前記搬送開始位置側に行くに従って徐々に低くなるように傾斜した部分を有し、
前記電源供給器は、前記給電部に接続された状態で前記遊技機の搬送に伴って前記電源供給器用往路を移動し、前記給電部と非接続の状態で傾斜した電源供給器用復路に沿って自走可能である
ことを特徴とする遊技機用搬送装置。
【請求項２】
前記受け渡し手段から前記電源供給器を送り出す送出器を、少なくとも前記電源供給器用復路の始端付近に設けたことを特徴とする請求項１に記載の遊技機用搬送装置。
【請求項３】
前記電源供給器用往路及び前記電源供給器用復路は、前記遊技機搬送機構に搬送されている前記遊技機の上面よりも上方位置に配設されていることを特徴とする請求項１または２に記載の遊技機用搬送装置。
【請求項４】
前記電源供給器用復路を移動してきた前記電源供給器を前記電源供給器用往路に受け渡す際に、前記電源供給器用復路上で前記電源供給器を停止させて前記電源供給器の前記電源供給器用往路への供給を調整する電源供給器停止手段を備えることを特徴とする請求項１乃至３のいずれか１項に記載の遊技機用搬送装置。
【請求項５】
前記電源供給器用往路は、前記遊技機の搬送方向に沿って延びる電源供給用レールと、前記電源供給用レールの内部において長手方向に沿って設けられた電源供給用レール側電極と、滑動手段接触面とを備え、
前記電源供給器は、前記電源供給用レール側電極に接触する電源供給器側電極と、前記遊技機の前記給電部に接続される電源供給部と、前記滑動手段接触面上を滑動する滑動手段とを備えており、
前記電源供給部と前記給電部とが接続され、前記電源供給器側電極が前記電源供給用レール側電極に接触し、前記滑動手段が前記滑動手段接触面に支持されることにより、前記電源供給器が前記電源供給器用往路を移動しながら前記遊技機に電源を供給しうるように構成されている
ことを特徴とする請求項１乃至４のいずれか１項に記載の遊技機用搬送装置。
【請求項６】
遊技盤を保持するとともに、その保持した遊技盤を搬送開始位置から搬送終了位置まで搬送する遊技盤搬送機構と、
前記遊技盤の給電部に接続され、搬送中の前記遊技盤に電源を供給する電源供給器と、
前記電源供給器が前記遊技盤の搬送方向に移動可能なように該電源供給器を案内する電源供給器用往路と、
前記電源供給器が前記遊技盤の搬送方向とは逆方向に移動可能なように該電源供給器を案内する電源供給器用復路と
を備え、
前記電源供給器用復路は、前記電源供給器用復路と前記電源供給器用往路との間で前記電源供給器の受け渡しを行う受け渡し手段を有するとともに、前記搬送終了位置側から前記搬送開始位置側に行くに従って徐々に低くなるように傾斜した部分を有し、
前記電源供給器は、前記給電部に接続された状態で前記遊技盤の搬送に伴って前記電源供給器用往路を移動し、前記給電部と非接続の状態で傾斜した電源供給器用復路に沿って自走可能である
ことを特徴とする遊技盤用搬送装置。
【発明の詳細な説明】
【技術分野】
【０００１】
本発明は、パチンコ機などに代表される遊技機またはその構成部品である遊技盤を検査する際などに用いられる、遊技機または遊技盤を搬送するための遊技機用搬送装置及び遊技盤用搬送装置に関するものである。
【背景技術】
【０００２】
パチンコ遊技機（遊技機）の製造工場では、遊技機を構成する各種部材の組み付けを製造ラインごとに行うことにより、遊技機が製造されるようになっている。製造途中の遊技機に対しては、製品として出荷される前に正常に動作するか否かの最終チェックが行われ、最終チェックに合格した遊技機のみが出荷されることになる。この最終チェックでは、電源を供給するための外部電源を遊技機に接続することで、ランプの点灯確認や各種スイッチの検出確認などの様々な動作確認が行われる。なお、これらの動作確認を、遊技機が搬送される流れ作業の中で常時電源を供給しながら行うことが、作業効率の面から好ましいとされている。
【０００３】
従来、遊技機の搬送中に電源を供給しながら動作確認をすることが可能な技術としては、例えば特許文献１に記載された技術がある。この技術においては、複数の陽極端子を一直線上に配置したベースフレームと、複数の陰極端子を一直線上に配置したベースフレームとが互いに平行に配置されている。そして、これらのベースフレーム上には、複数の製造作業台が移動可能に設けられている。製造作業台は、基本的に基台、回転台及び支持フレームを備えており、基台の裏側には、陽極接触板及び陰極接触板が互いに平行に設けられている。そして、陽極接触板は陽極端子に接触可能となっており、陰極接触板は陰極端子に接触可能となっている。また、支持フレームには電源コンセントが設けられており、電源コンセントは、電源コードなどを介して陽極接触板及び陰極接触板に電気的に接続されている。即ち、製造作業台は電源供給器を兼ねている。よって、遊技機の電源プラグを支持フレームの電源コンセントに差し込むことで、遊技機を搬送しながら遊技機に常時電源を供給させることが可能になる。
【特許文献１】特開２００３−１０４１５号公報
【発明の開示】
【発明が解決しようとする課題】
【０００４】
しかし、電源コンセントは、遊技機を載置して搬送する製造作業台ごとに設けられている。また、この種の製造作業台は遊技機を安定的に支持する必要があるため、一般には剛性のある金属などの部材によって形成されている。それゆえ、大型でありかなり重量がある。よって、搬送が終了した製造作業台を人手によって搬送開始位置に戻す作業は、非常に煩わしいという問題がある。この問題を解決するために、何らかの装置によって製造作業台を搬送開始位置に戻すことが考えられるが、このような大きくて重い製造作業台を搬送するためには、大きな動力が必要となる。よって、設備が大型化し、スペース的にもコスト的にも問題があった。
【０００５】
本発明は上記の課題に鑑みてなされたものであり、その目的は、搬送中の遊技機または遊技盤に対する電源の供給を常時可能にしつつ、電源供給器を搬送開始位置側に戻す作業を効率良く、低コストで実現することができる遊技機用搬送装置及び遊技盤用搬送装置を提供することにある。
【課題を解決するための手段】
【０００６】
上記の課題を解決するために、請求項１に記載の発明は、遊技機を保持するとともに、その保持した遊技機を搬送開始位置から搬送終了位置まで搬送する遊技機搬送機構と、前記遊技機の給電部に接続され、搬送中の前記遊技機に電源を供給する電源供給器と、前記電源供給器が前記遊技機の搬送方向に移動可能なように該電源供給器を案内する電源供給器用往路と、前記電源供給器が前記遊技機の搬送方向とは逆方向に移動可能なように該電源供給器を案内する電源供給器用復路とを備え、前記電源供給器用復路は、前記電源供給器用復路と前記電源供給器用往路との間で前記電源供給器の受け渡しを行う受け渡し手段を有するとともに、前記搬送終了位置側から前記搬送開始位置側に行くに従って徐々に低くなるように傾斜した部分を有し、前記電源供給器は、前記給電部に接続された状態で前記遊技機の搬送に伴って前記電源供給器用往路を移動し、前記給電部と非接続の状態で傾斜した電源供給器用復路に沿って自走可能であることを特徴とする遊技機用搬送装置をその要旨とする。
【０００７】
従って、請求項１に記載の発明によると、電源供給器が遊技機の給電部と接続され、この状態で遊技機の搬送に伴って電源供給器用往路上を移動する。このため、搬送中の遊技機に対する電源の供給が常時可能となる。また、受け渡し手段を介して電源供給器用復路に導かれた電源供給器は、重力の作用により電源供給器用復路に沿って搬送開始位置側に向かって自走する。このため、電源供給器を人手によって移動させたりしなくても済む。よって、電源供給器を搬送開始位置側に戻す作業を効率よく行うことができる。また、本発明によれば、モータなどのような駆動力を与える機構がなくても、電源供給器を電源供給器用復路の搬送開始位置側に戻すことができる。従って、電源供給器を搬送開始位置側に戻す作業を低コストで実現することができる。
【０００８】
また、本発明の電源供給器は製造作業台の機能を有しておらず、電源供給器だけを単体で扱いうるようになっているので、製造作業台が電源供給器の機構を兼ね備えた特許文献１に記載の従来技術と比較して、電源供給器を小型かつ軽量にすることができる。ゆえに、大きくて重い製造作業台を搬送開始位置に戻すための大きな動力が不要になり、電源供給器を搬送開始位置側に戻す作業負担を軽減させることができる。
【０００９】
さらに、電源供給器用復路が受け渡し手段を有していることにより、電源供給器用復路に沿って自走して搬送開始位置側に案内された電源供給器を電源供給器用往路側に受け渡すことができる。また、電源供給器用往路上を移動して搬送終了位置側に案内された電源供給器を電源供給器用復路側に受け渡すこともできる。よって、遊技機の搬送作業や電源供給器を搬送開始位置側に戻す作業をよりいっそう効率良く行うことができる。
【００１０】
ここで、「電源供給器」としては、電源供給器自身の内部に備えた電源を遊技機に供給するものであってもよいし、外部から供給された電源を遊技機に供給するものであってもよいが、後者のタイプであることが好ましい。このようにすれば、電源供給器の内部に電源を生成する機能を備える必要がなくなることから電源供給器の小型化・軽量化が図られるため、電源供給器用往路に沿って電源供給器を移動させる場合の重量負担が軽減される。また、大きな電源を与えやすくなる。
【００１１】
なお、電源供給器用往路及び電源供給器用復路は、遊技機搬送機構よりも下方位置に設けられていてもよいし、遊技機搬送機構と略同一の高さに設けられていてもよいが、遊技機搬送機構に搬送されている遊技機の上面よりも上方位置に設けられることが好ましい。
【００１２】
遊技機搬送機構は、例えば遊技機を水平方向に搬送する場合において、遊技機を一つの直線に沿って同じ方向に搬送するものが挙げられるが、途中で折れ曲がる線に沿って遊技機を搬送するものであってもよいし、一つの曲線に沿って遊技機を搬送するものであってもよい。また、遊技機搬送機構は、搬送方向に沿って設けられている複数のローラが遊技機の外枠の上下面に接触した状態で遊技機を自走させる構成であることが好ましく、例えば特許文献１に示される製造作業台のような構成を特に必要としないものであることが好ましい。
【００１３】
さらに、電源供給器用往路は、水平に配設され、かつ遊技機搬送機構に平行に配置されることが好ましい。これは、電源供給器用往路の搬送方向に沿って移動する電源供給器が遊技機の給電部と接続した状態で移動する際に、電源供給器と遊技機搬送機構との距離が一定であるほうがよいからである。よって、遊技機搬送機構が直線状に延びている場合には、電源供給器用往路も直線状に延びていることが好ましい。この場合には、電源供給器用往路の距離が曲線状のものなどに比べて短くなるため、遊技機用搬送装置の設置スペースを小さくすることができる。
【００１４】
なお、電源供給器用復路は、搬送開始位置側が電源供給器用往路よりも下方位置に設けられていてもよいし、搬送開始位置側及び搬送終了位置側の両方、即ち、電源供給器用復路全体が、電源供給器用往路よりも下方位置に設けられていてもよい。好ましくは、電源供給器用復路における電源供給器の移動終了位置側（終端）が電源供給器用往路よりも上方位置に設けられていることがよく、かつ、電源供給器用往路の始端と電源供給器用復路の終端とが略同一の高さに設定されていることがよい。このようにすれば、電源供給器用往路を移動する電源供給器に接続された電源プラグと電源供給器用復路との当接を防止できる。また、電源供給器用復路が作業者の邪魔になることもない。さらに、電源供給器用往路の始端と電源供給器用復路の終端とが略同一の高さにあるため、電源供給器の受け渡しが容易になる。
【００１５】
「前記電源供給器用復路が、前記搬送終了位置側から前記搬送開始位置側に行くに従って徐々に低くなるように傾斜」する態様としては、搬送開始位置側に行くに従って直線を描きつつ徐々に低くなるように傾斜するものだけでなく、搬送開始位置側に行くに従って曲線を描きつつ徐々に低くなるように傾斜するものも含むものとする。コスト性、作り勝手を考えると、直線を描きつつ傾斜するものであることが好ましい。
【００１６】
「前記電源供給器が、その傾斜した電源供給器用復路に沿って自走」する態様としては、電源供給器が電源供給器用復路上を滑りながら自走することや、電源供給器が備える滑動手段、及び、電源供給器用復路が備える滑動手段の少なくとも一方が滑動しながら自走することなどが挙げられる。
【００１７】
ここで、「滑動手段」としては特に限定されず任意のものを使用できるが、その例を挙げると、ローラやボールなどがある。
【００１８】
ここで、「受け渡し手段」としては、ロボットアームなどによって電源供給器を持ち上げて、電源供給器用復路から電源供給器用往路、または、電源供給器用往路から電源供給器用復路に受け渡す手段などが挙げられる。また、電源供給器が搭載される電源供給器搭載部を設け、電源供給器搭載部をリフトによって上下方向や左右方向に移動させて、電源供給器用復路または電源供給器用往路に受け渡す手段などが挙げられる。
【００１９】
請求項２に記載の発明は、請求項１において、前記受け渡し手段から前記電源供給器を送り出す送出器を、少なくとも前記電源供給器用復路の始端付近に設けたことをその要旨とする。
【００２０】
従って、請求項２に記載の発明によると、受け渡し手段によって受け渡された電源供給器を、送出器によって勢いをつけて電源供給器用復路に送り出すことができる。よって、電源供給器の自走可能距離が長くなり、電源供給器を電源供給器用復路の終端などに確実に到達させやすくなる。そのため、電源供給器を搬送開始位置側に戻す作業などをより確実に行うことができる。
【００２１】
なお、前記受け渡し手段から前記電源供給器を送り出す送出器を、前記電源供給器用復路の始端付近及び電源供給器用往路の始端付近の両方に設けてもよい。
【００２２】
ここで、「送出器」としては、電源供給器を載置した状態で傾斜角度を大きくすることにより、電源供給器を少なくとも電源供給器用復路に送り出すものなどが挙げられる。しかし、電源供給器に十分な勢いをつけるために、電源供給器を後方から打ち出す送出器を用いることが好ましい。このような送出器としては、例えばエアシリンダなどのような空気圧を利用したアクチュエータ、ソレノイドなどのような電力を利用したアクチュエータ、バネの弾性力を利用したアクチュエータなどが挙げられる。
【００２３】
請求項３に記載の発明によれば、請求項１または２において、前記電源供給器用往路及び前記電源供給器用復路は、前記遊技機搬送機構に搬送されている前記遊技機の上面よりも上方位置に配設されていることをその要旨とする。
【００２４】
従って、請求項３に記載の発明によると、工具や遊技球などの落下による電源供給器の破損といった心配もない。また、電源供給器が作業者の邪魔にならないので作業効率を向上させることができる。
【００２５】
なお、電源供給器用往路及び電源供給器用復路は、遊技機搬送機構の直上位置に設けられていてもよいが、直上位置から横方向（作業者の作業する作業スペースから見れば奥側方向）にずれた位置に設けられることが好ましい。このようにすれば、電源供給器用往路及び電源供給器用復路が遊技機搬送機構からより離れた位置に設けられるため、電源供給器用往路及び電源供給器用復路が、搬送される遊技機に対して接触することをよりいっそう防止することができる。また、電源供給器用往路を移動する電源供給器に接続される遊技機の電源プラグ（給電部）が作業者から遠い位置にあるので、電源プラグが邪魔にならず、作業効率をよりいっそう向上させることができる。
【００２６】
ここで、少なくとも電源供給器用往路は、作業者が作業する作業スペースから手が届き、遊技機の電源プラグが電源供給器用往路にある電源供給器と接続することができる範囲に配設されていることが好ましい。
【００２７】
請求項４に記載の発明は、請求項１乃至３のいずれか１項において、前記電源供給器用復路を移動してきた前記電源供給器を前記電源供給器用往路に受け渡す際に、前記電源供給器用復路上で前記電源供給器を停止させて前記電源供給器の前記電源供給器用往路への供給を調整する電源供給器停止手段を備えることをその要旨とする。
【００２８】
従って、請求項４に記載の発明によると、電源供給器用復路を移動してきた電源供給器の電源供給器用往路への供給数を、電源供給器停止手段によって調整することができる。このため、電源供給器が電源供給器用往路の始端に供給過剰となることを防止できる。また、受け渡し手段が電源供給器用往路側にあることによる電源供給器用復路からの電源供給器の落下を防止できる。そのため、遊技機の搬送作業を効率良く行うことができる。
【００２９】
ここで、電源供給器停止手段の好適な例としては、電源供給器用復路の所定位置に配設され、電源供給器をストッパ部材により一旦停止させることができるものなどが挙げられる。電源供給器停止手段は、電源供給器用往路で待機している電源供給器を検出する往路側検出手段（電源供給器用往路センサ）と、受け渡し手段の位置を検出する受け渡し手段用検出手段と、電源供給器用復路のストッパ部材により一旦停止している電源供給器の有無を検出するストッパ部材側検出手段とを含むものであることが好ましい。
【００３０】
請求項５に記載の発明は、請求項１乃至４のいずれか１項において、前記電源供給器用往路は、前記遊技機の搬送方向に沿って延びる電源供給用レールと、前記電源供給用レールの内部において長手方向に沿って設けられた電源供給用レール側電極と、滑動手段接触面とを備え、前記電源供給器は、前記電源供給用レール側電極に接触する電源供給器側電極と、前記遊技機の前記給電部に接続される電源供給部と、前記滑動手段接触面上を滑動する滑動手段とを備えており、前記電源供給部と前記給電部とが接続され、前記電源供給器側電極が前記電源供給用レール側電極に接触し、前記滑動手段が前記滑動手段接触面に支持されることにより、前記電源供給器が前記電源供給器用往路を移動しながら前記遊技機に電源を供給しうるように構成されていることをその要旨とする。
【００３１】
従って、請求項５に記載の発明によると、電源供給用レールの内部における長手方向に沿って電源供給用レール側電極及び滑動手段接触面が設けられている。これにより、電源供給用レールから遊技機の搬送に伴って移動する電源供給器に対して常に電源を供給することができるとともに、電源供給器をスムーズに移動させることができる。
【００３２】
また、電源供給用レールの内部に電源供給用レール側電極が設けられていることから、電源供給用レール内への埃の侵入を抑えることができるため、電源供給用レール側電極に埃が付着することに起因するショートを防止することができる。
【００３３】
請求項６に記載の発明は、遊技盤を保持するとともに、その保持した遊技盤を搬送開始位置から搬送終了位置まで搬送する遊技盤搬送機構と、前記遊技盤の給電部に接続され、搬送中の前記遊技盤に電源を供給する電源供給器と、前記電源供給器が前記遊技盤の搬送方向に移動可能なように該電源供給器を案内する電源供給器用往路と、前記電源供給器が前記遊技盤の搬送方向とは逆方向に移動可能なように該電源供給器を案内する電源供給器用復路とを備え、前記電源供給器用復路は、前記電源供給器用復路と前記電源供給器用往路との間で前記電源供給器の受け渡しを行う受け渡し手段を有するとともに、前記搬送終了位置側から前記搬送開始位置側に行くに従って徐々に低くなるように傾斜した部分を有し、前記電源供給器は、前記給電部に接続された状態で前記遊技盤の搬送に伴って前記電源供給器用往路を移動し、前記給電部と非接続の状態で傾斜した電源供給器用復路に沿って自走可能であることを特徴とする遊技盤用搬送装置をその要旨とする。
【００３４】
従って、請求項６に記載の発明によると、電源供給器が遊技盤の給電部と接続され、この状態で遊技盤の搬送に伴って電源供給器用往路上を移動する。このため、搬送中の遊技盤に対する電源の供給が常時可能となる。また、受け渡し手段を介して電源供給器用復路に導かれた電源供給器は、重力の作用により電源供給器用復路に沿って搬送開始位置側に向かって自走する。このため、電源供給器を人手によって移動させたりしなくても済む。よって、電源供給器を搬送開始位置側に戻す作業を効率よく行うことができる。また、本発明によれば、モータなどのような駆動力を与える機構がなくても、電源供給器を電源供給器用復路の搬送開始位置側に戻すことができる。従って、電源供給器を搬送開始位置側に戻す作業を低コストで実現することができる。
【００３５】
また、本発明の電源供給器は製造作業台の機能を有しておらず、電源供給器だけを単体で扱いうるようになっているので、製造作業台が電源供給器の機構を兼ね備えた特許文献１に記載の従来技術と比較して、電源供給器を小型かつ軽量にすることができる。ゆえに、大きくて重い製造作業台を搬送開始位置に戻すための大きな動力が不要になり、電源供給器を搬送開始位置側に戻す作業負担を軽減させることができる。
【００３６】
さらに、電源供給器用復路が受け渡し手段を有していることにより、電源供給器用復路に沿って自走して搬送開始位置側に案内された電源供給器を電源供給器用往路側に受け渡すことができる。また、電源供給器用往路上を移動して搬送終了位置側に案内された電源供給器を電源供給器用復路側に受け渡すこともできる。よって、遊技盤の搬送作業や電源供給器を搬送開始位置側に戻す作業をよりいっそう効率良く行うことができる。
【発明の効果】
【００３７】
以上詳述したように、請求項１〜６に記載の発明によれば、動作確認時における搬送中の遊技機または遊技盤に対する電源の供給を常時可能にしつつ、動作確認を終えた電源供給器を搬送開始位置側に戻す作業を効率良く、低コストで実現することができる。
【００３８】
さらに、電源供給器を搬送開始位置側に戻すのが行われるのに加えて、電源供給器用往路と電源供給器用復路との間での電源供給器の受け渡しが行われるため、遊技機の搬送作業や電源供給器を搬送開始位置側に戻す作業をよりいっそう効率良く行うことができる。
【発明を実施するための最良の形態】
【００３９】
以下、本発明をパチンコ遊技機（以下、「パチンコ機」という）の機能検査を行う際に用いられる遊技機検査装置として具体化した一実施形態を図１〜図１０に基づき説明する。
【００４０】
図１にはパチンコ機１０の側面が略示され、図３にはパチンコ機１０の機表側が略示されている。パチンコ機１０は、互いに平行な辺を２対有しており、矩形状の外形をなしている。機体の外郭をなす外枠１１の開口前面側には、各種の遊技機用構成部材をセットする縦長方形の中枠１２が開閉及び着脱自在に組み付けられている。また、中枠１２の前面側には、機内部に配置された遊技盤を透視保護するためのガラス枠を備えたガラス保持枠１４と、上球皿１５ａを有する上皿ユニット１５とが、ともに横開き状態で開閉可能に組み付けられている。
【００４１】
前記ガラス保持枠１４の上部前面には、パチンコ機１０の各種遊技の演出態様（大当り、リーチなど）に応じて点灯（点滅）・消灯などの発光装飾を行うトップランプ１６が前面側に向けて突出している。このトップランプ１６は、図示しない発光体（ＬＥＤなど）を備え、同発光体にレンズ部材を覆い被せて構成されている。また、中枠１２の下部には、操作手段１９などを有する下皿ユニット２０が装着されている。さらに、図３に示されるように、パチンコ機１０の裏側の電源基板付近からは、電源コード２２（給電部）及び電源プラグ２１（給電部）が延びている。
【００４２】
図２のフローチャートに示されるように、こうしたパチンコ機１０は、遊技盤工程Ｓ１→中枠工程Ｓ２→最終工程Ｓ３の順序で製造される。なお、このフローチャートは、製造工場でのパチンコ機１０の製造工程の概略を示している。
【００４３】
遊技盤工程Ｓ１では、遊技盤の製造が行われる。詳しくは、この遊技盤工程Ｓ１では、自動セル貼り、多軸穴加工、ゲージプレス、ＮＣルータ加工などの処理が行われるベニヤ加工工程や、ＮＣ釘打ち、自動レール締め、ＮＣ風車打ち、コーナ飾り、役物物品挿入、自動ビス締め、配線、表示基板取付などの処理が行われる。
【００４４】
中枠工程Ｓ２では、第１組付工程Ｓ２−１→ビス締め工程Ｓ２−２→第２組付工程Ｓ２−３→ビス締め工程Ｓ２−４→他種部品の組付工程Ｓ２−５の順で作業が行われる。詳しくは、第１組付工程Ｓ２−１では中枠１２に対する下皿ユニット２０の仮固定作業及び上皿ユニット１５の取付作業が行われ、ビス締め工程Ｓ２−２では下皿ユニット２０のビス締め作業が行われる。そして、第２組付工程Ｓ２−３では中枠１２に対するガラス保持枠１４の取付作業及び遊技盤の合体作業が行われ、続くビス締め工程Ｓ２−４ではそれら各部品のビス締め作業が行われる。その後、他種部品の組付工程Ｓ２−５では、それぞれ図示しない打球発射装置、セット盤、音声基板などの各種部品の組付作業が行われる。
【００４５】
最終工程Ｓ３では、外枠１１、それぞれ図示しない電源基板、払い出し基板、メイン基板などの組付作業や、ロット登録、各種番号（保証書番号、管理番号など）の付与などが行われる。
【００４６】
ところで、前記最終工程Ｓ３においては、図３に示される遊技機検査装置３１（遊技機用搬送装置）にパチンコ機１０を搭載した状態で、同パチンコ機１０に対する機能検査が行われる。そこで、以下、最終工程Ｓ３に用いられる遊技機検査装置３１について説明する。
【００４７】
図３に示されるように、遊技機検査装置３１は、パチンコ機１０を複数台同時に並べて支持可能な長さを有しており、数ｍ〜十数ｍ（本実施形態では６ｍ）の全長を有している。また、遊技機検査装置３１は、パチンコ機１０を保持して矢印Ｆ１方向（即ち搬送方向）に沿って搬送する水平搬送機構３２（遊技機搬送機構）を備えている。水平搬送機構３２は、パチンコ機１０を搬送開始位置（図３において水平搬送機構３２の右端）から搬送終了位置（図３において水平搬送機構３２の左端）まで搬送するようになっている。そして、パチンコ機１０を水平方向に搬送する過程では、パチンコ機１０に対する機能検査が行われる。なお、この機能検査では、例えば、パチンコ機１０の電源を投入した状態で作業者が入賞口に遊技球を入賞させたときに、正常に遊技球の払い出しが行われるか否かが検査される。また、ランプが正常に発光しているか否かなども検査される。
【００４８】
図３，図４に示されるように、水平搬送機構３２はベースフレーム３４を備えている。このベースフレーム３４の高さは、水平搬送機構３２に搭載されたパチンコ機１０が作業者の腰から胸の間に位置するような高さに設定されている。また、水平搬送機構３２の前面側は作業スペースＳ１となっている。パチンコ機１０は、前面が作業スペースＳ１側を向いた状態で搬送可能となっている。
【００４９】
図３，図４に示されるように、ベースフレーム３４上には、コンベア支持部４４ｂによって支持される遊技機搬送用ローラコンベア４４と、コンベア支持部４４ｂとは別のコンベア支持部によって支持される遊技機検査用ローラコンベア（図示略）とが設けられている。遊技機検査用ローラコンベアは、コンベア支持部を中心として回転可能になっている。この遊技機検査用ローラコンベアを作業スペースＳ１で作業する作業者が回転させることにより、同遊技機検査用ローラコンベアに載置されたパチンコ機１０の前側及び後側の機能検査が行われる。
【００５０】
また、遊技機搬送用ローラコンベア４４及び遊技機検査用ローラコンベアには、複数の下側ローラ６１が所定間隔を隔てて回転可能に配設されている。各下側ローラ６１からなる下側ローラ６１群は、パチンコ機１０の搬送方向に沿って一直線上に配置されている。これら下側ローラ６１は、回転軸がパチンコ機１０の搬送方向に直交するように配置されている。また、各下側ローラ６１の回転軸方向の寸法は、パチンコ機１０の底面１０ａ（図４参照）の前後方向の寸法よりも若干大きくなるように設定されている。隣り合う下側ローラ６１の間隔は、パチンコ機１０の底面１０ａの搬送方向の寸法よりも短く、５〜１５ｃｍ程度に設定されている。そして、各下側ローラ６１は、水平搬送機構３２にパチンコ機１０が搭載された際に、パチンコ機１０の底面１０ａに接触するようになっている。換言すると、パチンコ機１０は各下側ローラ６１上に載置可能になっている。そして、各下側ローラ６１は、パチンコ機１０の搬送時に回転軸を中心として回転して同パチンコ機１０のスムーズな移動を促すようになっている。なお、各下側ローラ６１の両端部には、下側ローラ６１の中心部分よりも直径が大きいガイド部６１ａ（図４参照）が形成されている。これにより、パチンコ機１０の下端部が両ガイド部６１ａの間に位置することとなるため、下側ローラ６１上からのパチンコ機１０のはみ出しや脱落を防止することができる。
【００５１】
一方、図３，図４に示されるように、水平搬送機構３２は、搬送方向に延びるレール４７を備えている。レール４７は、図示しない支持柱を介して前記ベースフレーム３４に固定されている。レール４７の溝部には、複数の上側ローラ６２が所定間隔を隔てて回転可能に配設されている。各上側ローラ６２からなる上側ローラ６２群は、前記下側ローラ６１群に対して平行でかつ対向するように設けられており、パチンコ機１０の搬送方向に沿って一直線上に配置されている。また、各上側ローラ６２の回転軸方向の寸法は、パチンコ機１０の上面１０ｂ（図４参照）の前後方向の寸法よりも若干大きくなるように設定されている。隣り合う上側ローラ６２の間隔は、パチンコ機１０の上面１０ｂの搬送方向の寸法よりも短く、５〜１５ｃｍ程度に設定されている。各上側ローラ６２は、回転軸がパチンコ機１０の搬送方向に直交するように配置されている。そして、各上側ローラ６２は、水平搬送機構３２にパチンコ機１０が搭載された際に、パチンコ機１０の上面１０ｂに接触するようになっている。これにより、各上側ローラ６２がパチンコ機１０の搬送時に回転軸を中心として回転して同パチンコ機１０のスムーズな移動が促される。
【００５２】
従って、こうした水平搬送機構３２に搭載されたパチンコ機１０は、底面１０ａが下側ローラ６１によって支持されるとともに、上面１０ｂが上側ローラ６２によって支持される。このため、下側ローラ６１及び上側ローラ６２によってパチンコ機１０が保持された状態となる。そして、作業者がパチンコ機１０を手で押し出すことによって下側ローラ６１及び上側ローラ６２が回転すると、パチンコ機１０は、レール４７に沿って図３の矢印Ｆ１方向（即ち搬送方向）に搬送される。そして、パチンコ機１０の搬送途中で、パチンコ機１０に対する機能検査が行われる。
【００５３】
図３に示されるように、遊技機検査装置３１は、搬送中のパチンコ機１０に常時電源を供給するための電源供給器５１を複数台備えている。また、遊技機検査装置３１は、電源供給器５１が移動する電源供給器用往路８１及び電源供給器用復路８２を備えている。電源供給器用往路８１及び電源供給器用復路８２は、水平搬送機構３２に搬送されているパチンコ機１０の上面１０ｂよりも上方位置において水平に配設されている。電源供給器用往路８１は、前記上側ローラ６２群に対して平行に設けられ、かつ上側ローラ６２群の後方側（即ち、作業スペースＳ１より奥側）に配置されている（図４参照）。電源供給器用往路８１は、電源供給器５１がパチンコ機１０の搬送方向と同一方向に移動可能となるように電源供給器５１を案内するためのものである。なお、電源供給器５１は、パチンコ機１０の搬送に伴い、パチンコ機１０の前記電源プラグ２１に接続された状態で電源供給器用往路８１に沿って移動するようになっている。
【００５４】
図３に示されるように、電源供給器用復路８２は、前記搬送終了位置側から前記搬送開始位置側に行くに従って徐々に低くなるように傾斜した状態に設けられている。このため、電源供給器５１は、重力の作用により電源供給器用復路８２に沿って搬送開始位置側に向かって自走するようになっている。従って、本実施形態では、電源供給器用往路８１、電源供給器用復路８２、後述する受け渡し手段８４ａ，８４ｂにより、電源供給器５１が一方向に循環移動するようになる。これにより、電源供給器５１が繰り返し使用可能となる。そして、電源供給器用復路８２の終端（移動終了位置側）は、電源供給器用往路８１と略同一の高さに設定されている。従って、電源供給器用復路８２は、全体的に電源供給器用往路８１よりも上方位置に配設されている。ところで、電源供給器用復路８２の終端を電源供給器用往路８１の始端の前方に設けると、電源供給器用復路８２の終端が水平搬送機構３２の前記レール４７に干渉してしまうため、電源供給器用復路８２が邪魔になってしまう。よって、電源供給器用復路８２の終端は、電源供給器用往路８１の始端の数十ｃｍ後方に設けられている。即ち、電源供給器用復路８２の終端は、電源供給器用往路８１の始端と前後方向に異なるようにオフセットして配置されている。仮に、電源供給器用復路８２の終端と電源供給器用往路８１の始端とをオフセットして配置しなければ、電源供給器用復路８２の終端が電源供給器用往路８１の始端に干渉してしまう。また、電源供給器用復路８２に沿って自走してきた電源供給器５１が電源供給器用往路８１に衝突してしまう。なお、電源供給器用復路８２は、電源供給器５１がパチンコ機１０の搬送方向とは逆方向に移動可能となるように電源供給器５１を案内するためのものである。また、電源供給器５１は、電源プラグ２１と非接続の状態で電源供給器用復路８２に沿って移動するようになっている。
【００５５】
図３〜図６に示されるように、電源供給器用往路８１は、パチンコ機１０の搬送方向に沿って一直線上に延びる電源供給用レール９１を備えている。電源供給用レール９１は、図示しない往路用支持柱を介して前記ベースフレーム３４に固定されている。図６に示されるように、電源供給用レール９１は、断面コ字状をなし、搬送開始位置側、搬送終了位置側及び下方にて開放されるレール本体９４を備えている。レール本体９４の両下端部には、延出部９５がそれぞれ内方にかつ水平に延出されている。延出部９５の上面は、後述する電源供給器５１の移動ローラ５４が接触する滑動手段接触面９３となっている。そのため、延出部９５は、電源供給器用往路８１に沿って移動する電源供給器５１を下方から支持するようになっている。また、レール本体９４内の上側部には、電源供給用レール９１の長手方向に沿って延びる２本の電源供給用レール側電極９２が設けられている。各電源供給用レール側電極９２は、絶縁部材９２ａを介して電源供給用レール９１に取り付けられている。
【００５６】
図５に示されるように、電源供給器用往路８１における搬送開始位置側（始端側）には、戻り防止部材９７が配設されている。戻り防止部材９７は、電源供給用レール９１から下方に延びる支持片９７ａに対して回動軸部９７ｂを介して回動可能に固定されている。よって、戻り防止部材９７は、電源供給器５１の通過時に電源供給器５１に押圧されて時計回り方向に９０°回動する（図５では破線にて図示）。このため、戻り防止部材９７は、電源供給器５１の搬送終了位置側への移動を許容する。また、戻り防止部材９７はバネ（図示略）を備えている。このバネは、戻り防止部材９７を反時計回り方向に付勢するようになっている。これにより、戻り防止部材９７は、電源供給器５１の通過後にバネに付勢されて反時計回り方向に９０°回動し、元の定位置（図５では実線にて図示）に復帰する。さらに、支持片９７ａには、戻り防止部材９７が定位置から反時計回り方向に回動するのを阻止する回動阻止部材９７ｃが設けられている。これにより、後記する連絡レール９６ａから送り出された電源供給器５１は、戻り防止部材９７を通過後、回動阻止部材９７ｃによって逆方向への移動が規制されるため、連絡レール９６ａ側に戻ることが防止される。
【００５７】
図５〜図８に示されるように、電源供給器５１は、略矩形板状をなす供給器本体５７を備えており、供給器本体５７の上側にはローラ支持部５８が形成されている。ローラ支持部５８には、４個の移動ローラ５４（滑動手段）が回転可能に取り付けられている。各移動ローラ５４は、電源供給器５１が電源供給器用往路８１に沿って移動する際に、前記電源供給用レール９１内の前記滑動手段接触面９３に支持され、その上を滑動するようになっている。これにより、各移動ローラ５４が電源供給器５１の移動時に回転軸を中心として回転して同電源供給器５１のスムーズな移動が促される。
【００５８】
また、ローラ支持部５８の上側には電極支持部５９が形成されており、電極支持部５９には４個の電源供給器側電極５３が取り付けられている。電源供給器側電極５３は、前記電源供給用レール側電極９２に接触して、外部電源（２４Ｖの交流電源）を電源コンセント５２（電源供給部）に供給するためのものである。また、供給器本体５７の下側には、基部５５ａが形成されている。基部５５ａの両端部、即ち、電源供給器５１の移動方向における前部及び後部には、それぞれ弾性部材５６が配置されている。弾性部材５６は、別の電源供給器５１との衝突による電源供給器５１の破損を防止するためのものである。また、供給器本体５７の下側には、電源コード６０を介して電源コンセント５２が吊り下げられている。電源コンセント５２は、電源コード６０と、電源供給器５１の内部を通る接続線（図示略）とを介して電源供給器側電極５３に電気的に接続されている。また、電源コンセント５２には、前記パチンコ機１０の前記電源プラグ２１が差し込まれるようになっている。これにより、電源供給器５１は、電源供給器用往路８１に沿って移動しながらパチンコ機１０に電源を供給しうるようになる。
【００５９】
図３，図９に示されるように、前記電源供給器用復路８２の前記搬送開始位置側（終端側）には、電源供給器５１を電源供給器用復路８２から電源供給器用往路８１に受け渡す受け渡し手段８４ａが設けられている。また、電源供給器用復路８２の前記搬送終了位置側（始端側）には、電源供給器５１を電源供給器用往路８１から電源供給器用復路８２に受け渡す受け渡し手段８４ｂが設けられている。
【００６０】
受け渡し手段８４ａ，８４ｂは、電源供給器５１を１台ずつ搭載可能な連絡レール９６ａ，９６ｂ（電源供給器搭載部）をそれぞれ備えている。受け渡し手段８４ａ側の連絡レール９６ａは、前後方向に沿って延びるガイドロッド１００ａに取り付けられており、前後動可能になっている（図９参照）。また、図３に示されるように、受け渡し手段８４ｂ側の連絡レール９６ｂは、上下方向に沿って延びるガイドロッド１００ｂに取り付けられており、上下動可能になっている。受け渡し手段８４ａの連絡レール９６ａは、電源供給器用復路８２の終端と電源供給器用往路８１の始端との間を往復動（前後動）するように構成され、受け渡し手段８４ｂの連絡レール９６ｂは、電源供給器用往路８１の終端と電源供給器用復路８２の始端との間を昇降するように構成されている。なお、受け渡し手段８４ａのガイドロッド１００ａは、前記ベースフレーム３４において搬送開始位置側に突設された支持柱３５の上端部に設けられ、受け渡し手段８４ｂのガイドロッド１００ｂは、ベースフレーム３４において搬送終了位置側に設けられた支持柱３６の上端部に設けられている。
【００６１】
図３に示されるように、支持柱３５には送出器９０ａが取り付けられている。送出器９０ａは、電源供給器用往路８１と略同一の高さに配置され、連絡レール９６ａから電源供給器用往路８１の始端に電源供給器５１を送り出すようになっている。同様に、支持柱３６には送出器９０ｂが取り付けられている。送出器９０ｂは、電源供給器用復路８２と略同一の高さに配置され、連絡レール９６ｂから電源供給器用復路８２の始端に電源供給器５１を送り出すようになっている。なお、本実施形態の送出器９０ａ，９０ｂはエアシリンダであり、ロッドを突出させて電源供給器５１を打ち出すようになっている。
【００６２】
図３，図４，図９，図１０に示されるように、電源供給器用復路８２は、パチンコ機１０の搬送方向に沿って延びる電源供給器案内用レール１０１を備えている。電源供給器案内用レール１０１は、図示しない復路用支持柱を介して前記ベースフレーム３４に固定されている。電源供給器案内用レール１０１は、２本のレール（第１レール１０２及び第２レール１０３）を直列に配置して接続することにより構成されている。第１レール１０２は、電源供給器用復路８２における電源供給器５１の移動開始位置（図３において左側）、即ち搬送終了位置（電源供給器用復路８２の始端）から、電源供給器案内用レール１０１の全長の約３／４だけ延びている。第１レール１０２は、電源供給器用復路８２の始端側から終端側に行くに従って徐々に低くなるように傾斜している。第１レール１０２の始端側の端部は、送出器９０ｂと略同一の高さに配置されている。また、第２レール１０３は、電源供給器用復路８２における電源供給器５１の移動終了位置（図３において右側）、即ち搬送開始位置（電源供給器用復路８２の終端）から、第１レール１０２の終端側の端部（図３において第１レール１０２の右端）まで延びている。第２レール１０３は、第１レール１０２よりもかなり短くなっており、具体的には、第１レール１０２の１／３〜１／１０の長さに設定されている。第２レール１０３は、電源供給器用復路８２の始端側から終端側に行くに従って徐々に低くなるように傾斜している。第２レール１０３の始端側の端部は、第１レール１０２の終端側の端部と略同一の高さに配置されており、終端側の端部は、送出器９０ａと略同一の高さに配置されている。また、電源供給器案内用レール１０１は、途中で屈曲していて略へ字状に構成されている。つまり、第１レール１０２及び第２レール１０３の傾斜角度は互いに異なっている。ところで、第１レール１０２及び第２レール１０３の傾斜角度が小さすぎて水平に近い状態であると、自走中の電源供給器５１が第１レール１０２上または第２レール１０３上で停止する可能性がある。その一方、傾斜角度が大きすぎると、電源供給器用復路８２に沿って移動する電源供給器５１の速度が上がりすぎる可能性がある。よって、第１レール１０２の傾斜角度は１０°以上３０°以下（本実施形態では約１５°）に設定され、第２レール１０３の傾斜角度は１０°以上３０°以下（本実施形態では約２５°）に設定されている。
【００６３】
また、図１０に示されるように、電源供給器案内用レール１０１は、前記電源供給用レール９１と略同一の構造をなしている。即ち、電源供給器案内用レール１０１（第１レール１０２及び第２レール１０３）は、それぞれレール本体１０４を備えている。レール本体１０４は、断面コ字状をなし、移動開始位置側、移動終了位置側及び下方にて開放されている。レール本体１０４の両下端部には、延出部１０５がそれぞれ内方にかつ水平に延出されている。延出部１０５の上面は、電源供給器５１の前記移動ローラ５４が接触する滑動手段接触面１０６となっている。そのため、延出部１０５は、電源供給器用復路８２に沿って移動する電源供給器５１を下方から支持するようになっている。
【００６４】
図９に示されるように、電源供給器用復路８２は、電源供給器停止装置８６（電源供給器停止手段）を備えている。電源供給器停止装置８６は、電源供給器用復路８２に沿って移動してきた電源供給器５１を前記電源供給器用往路８１に受け渡す際に、電源供給器用復路８２上で電源供給器５１を停止させる（詳細は後述）。このため、電源供給器用往路８１への電源供給器５１の供給が調整される。仮に、前記受け渡し手段８４ａの前記連絡レール９６ａが電源供給器用往路８１の始端側に移動している際に、電源供給器５１が電源供給器停止装置８６によって停止されずに電源供給器用復路８２上を移動し続けると、その電源供給器５１は電源供給器用復路８２の終端側から落下してしまう。また、電源供給器５１が、電源供給器用往路８１の始端付近に多く溜まってしまい、供給過剰となる。
【００６５】
図９に示されるように、電源供給器停止装置８６は、ストッパ装置６３（ストッパ部材）及び電源供給器用復路センサ６４（ストッパ部材側検出手段）を備えている。ストッパ装置６３は、電源供給器用復路８２の終端部から数十ｃｍ手前に配置され、電源供給器用復路センサ６４はストッパ装置６３よりもさらに数ｃｍ手前に配置されている。ストッパ装置６３には、ストッパピン６３ａが電源供給器用復路８２の上方に出没可能に設けられている。ストッパ装置６３は、受け渡し手段８４ａの連絡レール９６ａが電源供給器用往路８１の始端側に移動している場合に、ストッパピン６３ａを下側に移動（突出）させるようになっている。これにより、ストッパピン６３ａが電源供給器５１の移動方向における前部に配置された前記弾性部材５６の先端に接触して、電源供給器５１が停止する。また、電源供給器用復路センサ６４は、電源供給器５１の有無を検出するためのものである。具体的には、ストッパピン６３ａが突出しているときに、電源供給器５１がストッパピン６３ａの手前で停止しているか否かを検出するためのものである。さらに、前記ガイドロッド１００ａにおける電源供給器用復路８２の終端部付近（ガイドロッド１００ａの後方位置）には、連絡レール９６ａが電源供給器用復路８２の終端側にあるか否かを検出する図示しない連絡レール用センサ（受け渡し手段用検出手段）が配置されている。また、電源供給器用往路８１の始端付近（前記戻り防止部材９７より後端（搬送終了位置）側であって、始端から電源供給器５１数個分先の位置）には、電源供給器用往路８１で待機している電源供給器５１の有無を検出する図示しない電源供給器用往路センサ（往路側検出手段）が配置されている。なお、電源供給器用往路センサが電源供給器５１を例えば５秒以上検出している場合、前記送出器９０ａにて電源供給器用往路８１の始端に送り出された電源供給器５１が後続の電源供給器５１に順次押し出され、電源供給器用往路８１に多数の電源供給器５１が停止している状態となっている。
【００６６】
上記の構成により、電源供給器用復路８２に沿って自走してきた電源供給器５１は、ストッパ装置６３のストッパピン６３ａに接触して一旦停止する。そして、連絡レール用センサによって連絡レール９６ａが検出（連絡レール９６ａが電源供給器用復路８２の終端に位置）され、電源供給器用往路センサによって電源供給器５１が検出されない（電源供給器用往路８１に電源供給器５１が存在しないまたは少ししか存在しない状態）場合、ストッパピン６３ａが上側に移動する。これにより、規制を解除された電源供給器５１が、重力の作用によって電源供給器用復路８２に沿って再び自走を開始する。そして、電源供給器５１がストッパ装置６３の下方を通過した直後にストッパピン６３ａを下側に移動することにより、後続の電源供給器５１を一旦停止させることが可能となる。なお、電源供給器用復路８２の終端に到達した電源供給器５１は、連絡レール９６ａに搭載される。その後、連絡レール９６ａが電源供給器用往路８１の始端に移動すると、電源供給器５１は前記送出器９０ａに押し出されて電源供給器用往路８１に移動する。
【００６７】
従って、本実施形態によれば以下のような効果を得ることができる。
【００６８】
（１）本実施形態の遊技機検査装置３１では、電源供給器５１の電源コンセント５２がパチンコ機１０の電源プラグ２１と接続され、この状態でパチンコ機１０の搬送に伴って電源供給器用往路８１上を移動する。このため、搬送中のパチンコ機１０に対する電源の供給が常時可能となる。また、受け渡し手段８４ｂを介して電源供給器用復路８２に導かれた電源供給器５１は、重力の作用により電源供給器用復路８２に沿って搬送開始位置側（電源供給器用復路８２の終端）に向かって自走する。このため、電源供給器５１を人手によって移動させたりしなくても済む。よって、電源供給器５１を電源供給器用復路８２の終端側に戻す作業を効率よく行うことができる。また、本実施形態によれば、モータなどのような駆動力を与える機構がなくても、電源供給器５１を電源供給器用復路８２の終端側に戻すことができる。従って、電源供給器５１を電源供給器用復路８２の終端側に戻す作業を低コストで実現することができる。
【００６９】
また、本実施形態の電源供給器５１は、パチンコ機１０が搭載される製造作業台（特許文献１参照）の機能を有していない。そのため、製造作業台が電源供給器５１の機構を兼ね備えた特許文献１に記載の従来技術と比較して、電源供給器５１を小型かつ軽量にすることができる。ゆえに、大きくて重い製造作業台を搬送開始位置に戻すための大きな動力が不要になり、電源供給器５１を搬送開始位置側に戻す作業負担を軽減させることができる。
【００７０】
さらに、電源供給器用復路８２が受け渡し手段８４ａ，８４ｂを有していることにより、電源供給器用復路８２の終端側に案内された電源供給器５１を、受け渡し手段８４ａによって電源供給器用往路８１の始端側に受け渡すことができる。また、電源供給器用往路８１の終端側に案内された電源供給器５１を、受け渡し手段８４ｂによって電源供給器用復路８２の始端側に受け渡すこともできる。よって、パチンコ機１０の搬送作業や電源供給器５１を搬送開始位置側に戻す作業をよりいっそう効率良く行うことができる。
【００７１】
（２）本実施形態の電源供給器案内用レール１０１は２本のレール（第１レール１０２及び第２レール１０３）によって構成されており、両者の傾斜角度は互いに異なっている。具体的には、第１レール１０２の傾斜角度が、第２レール１０３の傾斜角度よりも小さく設定されている。その結果、電源供給器案内用レール１０１を一直線上に延びる１本のレールによって構成する場合（図１２参照）に比べて、搬送開始位置側における電源供給器案内用レール１０１とパチンコ機１０の上面１０ｂとの距離が大きくなる。よって、パチンコ機１０の上方に大きなスペースが確保され、電源供給器用復路８２に沿って自走する電源供給器５１が作業者に接触しにくくなる。
【００７２】
また、第１レール１０２の傾斜角度と第２レール１０３の傾斜角度とを別々に設定することができるため、電源供給器案内用レール１０１を１本のレールによって構成する場合に比べて、傾斜角度の調整の自由度が広がる。また、電源供給器案内用レール１０１を折り曲げたりしなくても、傾斜角度が２段階に設定される本実施形態の構成を実現することができる。
【００７３】
（３）本実施形態では、レール１０２，１０３の傾斜角度が、ともに１０°〜３０°という好適範囲内に設定されている。よって、傾斜角度が大きすぎて電源供給器５１の速度が上がりすぎることを防止できる。また、傾斜角度が小さすぎて電源供給器５１が途中で停止してしまうことも防止できる。
【００７４】
（４）本実施形態の電源供給器用復路８２は、電源供給器用往路８１より上方位置に配設されるため、電源供給器用復路８２が作業者の邪魔になるのを防止できる。しかも、電源供給器用復路８２に沿って自走する電源供給器５１がパチンコ機１０に接触して搬送が邪魔されることもないし、電源供給器５１が搬送開始位置側に戻らなくなることもない。
【００７５】
（５）本実施形態では、電源供給用レール９１の延出部９５の上面は電源供給器５１の移動ローラ５４が接触する滑動手段接触面９３となっており、電源供給器案内用レール１０１の延出部１０５の上面は移動ローラ５４が接触する滑動手段接触面１０６となっている。しかも、延出部９５，１０５は、電源供給器５１を下方から支持するようになっている。即ち、延出部９５，１０５は、電源供給器５１を円滑に移動させるための機能に加え、電源供給器５１の落下を防止する機能を有している。よって、電源供給用レール９１において、電源供給器５１を支持する部材と滑動手段接触面９３を有する部材とを別々に作らなくても済む。また、電源供給器案内用レール１０１においても、電源供給器５１を支持する部材と滑動手段接触面１０６を有する部材とを別々に作らなくても済む。つまり、部品の兼用化によって、遊技機検査装置３１を低コストで構成することができる。
【００７６】
（６）本実施形態では、電源供給器用往路８１における搬送開始位置側（始端側）に、戻り防止部材９７が配設されている。これにより、一度電源供給器用往路８１に送り出された電源供給器５１が、反対側に戻って電源供給器用往路８１の始端から飛び出さなくなる。従って、電源供給器５１の落下を防止できる。
【００７７】
（７）本実施形態では、電源供給器用往路８１は、上側ローラ６２群に対して平行に設けられ、かつ上側ローラ６２群の後方側に配置されている。そして、作業者は、例えば水平搬送機構３２に搬送されるパチンコ機１０に対して電源を供給した状態で、主にパチンコ機１０の前面にある入賞口へ遊技球を入賞させて払い出しの確認を行うようになっている。この場合、電源供給器５１が移動する電源供給器用往路８１は、パチンコ機１０の裏面より後方側に配設されることとなる。ゆえに、パチンコ機１０に設けられた電源プラグ２１と電源供給器５１とを接続した場合に、電源プラグ２１は、上側ローラ６２群を挟んで作業者がいる作業スペースＳ１の反対側に配置されるようになる。よって、作業者にとって電源プラグ２１が邪魔になりにくくなるため、物を落として電源プラグ２１を破損させにくくなる。また、電源供給器用往路８１が上側ローラ６２群より後方側に配設されているので、電源供給器５１から垂らした電源コード２２が上側ローラ６２群に引っ掛かることを防止できる。
【００７８】
（８）本実施形態の遊技機検査装置３１では、下側ローラ６１群がパチンコ機１０の底面１０ａを支持し、上側ローラ６２群がパチンコ機１０の上面１０ｂを支持するようになっている。従って、パチンコ機１０を、下側ローラ６１群と上側ローラ６２群とで挟持することにより、パチンコ機１０をしっかりと支持することができる。よって、パチンコ機１０を安定して搬送可能となる。さらに、パチンコ機１０の搬送時に、下側ローラ６１及び上側ローラ６２との間に生じる摩擦を少なくすることができる。よって、パチンコ機１０の搬送をスムーズに行うことができる。また、ローラ６１，６２が回転軸を中心として回転することから、前記摩擦が少なくなるため、ローラ６１，６２が磨耗しにくくなり、頻繁なメインテナンスが不要となる。ゆえに、遊技機検査装置３１のランニングコストの低減を図ることができる。
【００７９】
なお、本発明の実施形態は以下のように変更してもよい。
【００８０】
・上記実施形態では、電源供給器５１が電源供給器用往路８１に沿って移動する際に、移動ローラ５４が滑動手段接触面９３に接触し、電源供給器５１が電源供給器用復路８２に沿って移動する際に、移動ローラ５４が滑動手段接触面１０６に接触して支持されるようになっていた。
【００８１】
しかし、例えば図１１に示されるように、電源供給器５１の基部５５ａの幅を広げて被支持板５５とし、電源供給器５１が電源供給器用復路８２に沿って移動する際に、被支持板５５が複数のローラ８９（支持部材）に接触して支持されるようにしてもよい。この場合、電源供給器用復路８２は一対の案内レール８２ａによって構成されており、両案内レール８２ａ間には、電源供給器５１の電源コード６０及び電源コンセント５２が位置するようになっている。このため、電源コード６０及び電源コンセント５２の案内レール８２ａへの干渉が防止される。また、各ローラ８９は、案内レール８２ａに軸部８８を介して回転に可能に配設されている。
【００８２】
このようにすれば、電源供給器５１が電源供給器用復路８２を移動する際に、電源供給器側電極５３や移動ローラ５４がローラ８９に接触しないため、電源供給器側電極５３及び移動ローラ５４が磨耗しにくくなる。ゆえに、頻繁なメインテナンスが不要となり、遊技機検査装置３１のランニングコストの低減を図ることができる。
【００８３】
・上記実施形態では、電源供給器案内用レール１０１は２本のレール（第１レール１０２及び第２レール１０３）によって構成されており、両者の傾斜角度は互いに異なっていた。しかし、図１２に示されるように、電源供給器案内用レール１０１を一直線上に延びる１本のレールによって構成してもよい。
【００８４】
・上記実施形態では、電源供給器案内用レール１０１は、略へ字状となるように構成されていた。しかし、図１３に示されるように、電源供給器案内用レール１０１は、上記実施形態における電源供給器案内用レール１０１を裏返したような形状（略逆へ字状）に構成されていてもよい。このようにすれば、第２レール１０３の傾斜角度が第１レール１０２の傾斜角度よりも小さく設定される。このため、第１レール１０２に沿って自走する電源供給器５１の速度が上昇したとしても、第２レール１０３に沿って自走することで、電源供給器５１のこれ以上の速度上昇を少なくすることができる。
【００８５】
・上記実施形態において、第１レール１０２や第２レール１０３の傾斜角度を調整する角度調整機構を設けてもよい。具体的には、ベースフレーム３４に設けた復路用支持柱などに回動軸を設け、この回動軸に第１レール１０２や第２レール１０３を回動可能に設ける。これにより、レール１０２，１０３の傾斜角度が調整可能となる。
【００８６】
・上記実施形態の電源供給器搭載部（連絡レール９６ａ，９６ｂ）は、電源供給器５１が１台ずつ搭載可能となるように構成されていた。しかし、電源供給器搭載部は、複数台の電源供給器５１が搭載可能となるように構成されていてもよい。例えば、円盤状をなす電源供給器搭載部を、鉛直方向に延びる回転軸を中心として回転可能に設け、電源供給器搭載部上に、複数の電源供給器５１の搭載部を放射状に配置してもよい。このようにした場合、例えば、電源供給器搭載部が電源供給器用復路８２の終端側に位置している状態で、電源供給器搭載部を回転させることにより、複数台の電源供給器５１を搭載できる。
【００８７】
・上記実施形態では、電源供給器５１の移動方向における前部及び後部に、それぞれ弾性部材５６が配置されていた。しかし、電源供給器５１の前部のみまたは後部のみに、弾性部材５６が配置されていてもよい。
【００８８】
・上記実施形態では、パチンコ機１０は、下側ローラ６１群と上側ローラ６２群とで挟持された状態で、搬送されるようになっていた。しかし、パチンコ機１０を搬送台上に搭載し、その搬送台を複数の下側ローラ６１で支持しながら搬送するようにしてもよい。このようにした場合、パチンコ機１０は搬送台に固定されることで安定する。よって、下側ローラ６１群及び上側ローラ６２群のうち下側ローラ６１群だけが必須の構成となるため、パチンコ機１０の上面１０ｂを支持する上側ローラ６２群は特になくてもよくなる。
【００８９】
・上記実施形態では、電源供給器５１を移動させる構成を、パチンコ機１０を保持して搬送する水平搬送機構３２（遊技機搬送機構）を備えた遊技機検査装置３１（遊技機用搬送装置）に適用していた。しかし、電源供給器５１を移動させる構成を、遊技盤を保持して搬送する遊技盤搬送機構を備えた遊技盤用搬送装置に適用してもよい。この場合、遊技盤用搬送装置の構成は遊技機検査装置３１の構成と基本的に同一でよいが、下側ローラ６１群と上側ローラ６２群との離間距離は、遊技盤を挟持できる程度の長さに合わせて短めに設定される。
【００９０】
次に、特許請求の範囲に記載された技術的思想のほかに、前述した実施形態によって把握される技術的思想を以下に列挙する。
【００９１】
（１）請求項１乃至６のいずれか１項において、前記電源供給器用復路の傾斜角度は１０°以上３０°以下であること。このようにすれば、傾斜角度が大きすぎることにより、電源供給器用復路に沿って自走する電源供給器の速度が上がりすぎることを防止できる。また、傾斜角度が小さすぎることにより、電源供給器が途中で停止してしまうことも防止できる。
【００９２】
（２）請求項１乃至６のいずれか１項において、前記受け渡し手段から前記電源供給器用往路の始端及び前記電源供給器用復路の始端に前記電源供給器を送り出す送出器を設けたこと。このようにすれば、受け渡し手段によって電源供給器用往路側に受け渡された電源供給器を、送出器によって勢いをつけて電源供給器用往路に送り出すことができる。また、受け渡し手段によって電源供給器用復路側に受け渡された電源供給器を、送出器によって勢いをつけて電源供給器用復路に送り出すこともできる。よって、電源供給器の自走距離が長くなり、電源供給器を電源供給器用復路の終端に確実に到達させやすくなる。
【００９３】
（３）請求項１乃至６のいずれか１項において、前記電源供給器用復路における前記電源供給器の移動終了位置側が前記電源供給器用往路よりも上方位置に設けられていること。このようにすれば、電源供給器用往路を移動する電源供給器に接続された電源プラグと電源供給器用復路との当接を防止できる。また、電源供給器用復路が作業者の邪魔になることもない。
【００９４】
（４）請求項１乃至６のいずれか１項において、前記電源供給器用往路における搬送開始位置側に、前記受け渡し手段側から送り出された前記電源供給器が前記受け渡し手段側に戻ることを防止する戻り防止部材を配設したこと。このようにすれば、戻り防止部材を配設したことにより、一度電源供給器用往路に送り出された電源供給器が反対側に戻って電源供給器用往路の始端から飛び出さなくなる。従って、電源供給器の落下を防止できる。
【００９５】
（５）請求項５において、前記電源供給器は、該電源供給器にて前記電源供給器側電極及び前記滑動手段とは別に設けられた被支持部が前記電源供給器を支持する支持部材に支持された状態で、前記電源供給器用復路を移動すること。このようにすれば、電源供給器が電源供給器用復路を移動する際に、電源供給器側電極や滑動手段が支持部材に接触するのではなく、被支持部が支持部材に支持された状態で移動するため、電源供給器側電極及び滑動手段が磨耗しにくくなる。しかも、電源供給器が電源供給器用往路を移動する際に、滑動手段が滑動することから、摩擦が少なくなるため、滑動手段がよりいっそう磨耗しにくくなる。ゆえに、頻繁なメインテナンスが不要となり、遊技機用搬送装置のランニングコストの低減を図ることができる。
【００９６】
（６）請求項５において、前記電源供給用レールは、下方にて開放される断面略コ字状をなすレール本体と、前記レール本体の両下端部からそれぞれ内方にかつ水平に延出される延出部とから構成されており、前記延出部の上面は前記滑動手段接触面であり、前記延出部は前記電源供給器を下方から支持すること。このようにすれば、電源供給器を支持する部材と滑動手段接触面を有する部材とを別々に作らなくても済むため、遊技機用搬送装置を低コストで構成することができる。
【００９７】
（７）請求項１乃至６のいずれか１項において、前記電源供給器の移動方向における前部及び後部に、それぞれ弾性部材を配置したこと。このようにすれば、電源供給器同士の衝突による電源供給器の破損を防止できる。
【００９８】
（８）請求項１乃至５のいずれか１項において、前記遊技機搬送機構は、前記遊技機の底面を支持する複数の下側ローラからなる下側ローラ群と、前記下側ローラ群に対して平行に設けられ、前記遊技機の上面を支持する複数の上側ローラからなる上側ローラ群とを備え、前記遊技機搬送機構の前面側には作業スペースが設けられ、前記遊技機は、前記上側ローラ群及び前記下側ローラ群によって前記遊技機の前面が前記作業スペース側を向いた状態で搬送可能になっており、前記電源供給器用往路は、前記上側ローラ群に対して平行に設けられ、かつ前記上側ローラ群の後方側に配置されること。この場合、遊技機搬送機構に沿って搬送される遊技機に対して電源を供給した状態で、作業者は、主に遊技機の前面にある入賞口へ遊技球を入賞させて払い出しの確認を行う。このとき、遊技機に接続した電源供給器が移動する電源供給器用往路は、遊技機の裏面より後方側に配設されている。このため、遊技機の裏面に設けられた給電部（電源プラグ）と電源供給器とを接続して上側から垂らした場合に、電源プラグは、上側ローラ群を挟んで作業スペースの反対側にある。よって、作業者にとって電源プラグが邪魔になりにくくなる。従って、物を落として電源プラグを破損させにくくなる。また、電源供給器用往路が上側ローラ群より後方側に配設されているので、電源供給器から垂らした電源コンセントが上側ローラ群に引っ掛かることを防止できる。
【図面の簡単な説明】
【００９９】
【図１】本実施形態の遊技機検査装置によって検査されるパチンコ機を示す側面図。
【図２】パチンコ機の製造工程の概略を示すフローチャート。
【図３】遊技機検査装置を示す正面図。
【図４】遊技機検査装置を示す側面図。
【図５】電源供給器用往路、電源供給器、戻り防止部材などの構成を示す正面図。
【図６】図５のＡ−Ａ線断面図。
【図７】電源供給器を示す斜視図。
【図８】電源供給器を示す上面図。
【図９】電源供給器用往路、受け渡し手段、電源供給器用復路、電源供給器停止装置などの構成を示す斜視図。
【図１０】電源供給器用復路、電源供給器などの構成を示す断面図。
【図１１】他の実施形態における電源供給器用復路、電源供給器などの構成を示す断面図。
【図１２】他の実施形態における電源供給器用往路、電源供給器用復路などの構成を示す概略図。
【図１３】他の実施形態における電源供給器用往路、電源供給器用復路などの構成を示す概略図。
【符号の説明】
【０１００】
１０…遊技機としてのパチンコ機
１０ｂ…上面
２１…給電部としての電源プラグ
２２…給電部としての電源コード
３１…遊技機用搬送装置としての遊技機検査装置
３２…遊技機搬送機構としての水平搬送機構
５１…電源供給器
５２…電源供給部としての電源コンセント
５３…電源供給器側電極
５４…滑動手段としての移動ローラ
８１…電源供給器用往路
８２…電源供給器用復路
８４ａ，８４ｂ…受け渡し手段
８６…電源供給器停止手段としての電源供給器停止装置
９０ａ，９０ｂ…送出器
９１…電源供給用レール
９２…電源供給用レール側電極
９３…滑動手段接触面
【図１】
2005348763.tif 000003
【図２】
2005348763.tif 000004
【図３】
2005348763.tif 000005
【図４】
2005348763.tif 000006
【図５】
2005348763.tif 000007
【図６】
2005348763.tif 000008
【図７】
2005348763.tif 000009
【図８】
2005348763.tif 000010
【図９】
2005348763.tif 000011
【図１０】
2005348763.tif 000012
【図１１】
2005348763.tif 000013
【図１２】
2005348763.tif 000014
【図１３】
2005348763.tif 000015